(57)【要約】      （修正有）【課題】使用者を楽しませることができる手拭きを提供する。【解決手段】第１側縁１１と、第１側縁と平行に延在する第２側縁１２と、第１側縁及び第２側縁と交差する方向に延在する第３側縁１３と、第３側縁と平行に延在す第４側縁１４とを有し、シート状に形成された手拭き１００である。表面１に位置し、第３側縁の延在方向に第１側縁から第２側縁に亘って帯状に延在するように区画された第１領域２１を有し、第１単位模様３１ａが第３側縁の延在方向に繰り返す第１模様３１が第１領域に付されている。【選択図】図１
0003189693.tif 000002
【実用新案登録請求の範囲】
【請求項１】
第１側縁と、前記第１側縁と平行に延在する第２側縁と、前記第１側縁及び前記第２側縁と交差する方向に延在する第３側縁と、前記第３側縁と平行に延在する第４側縁とを有し、シート状に形成された手拭きであって、
一方の面に位置し、前記第３側縁の延在方向に前記１側縁から前記第２側縁に亘って帯状に延在するように区画された第１領域を有し、第１単位模様が前記第３側縁の延在方向に繰り返す第１模様が前記第１領域に付されている、手拭き。
【請求項２】
前記一方の面に位置し、前記第３側縁の延在方向に前記第１側縁から前記第２側縁に亘って帯状に延在するように区画された第２領域を有し、第２単位模様が前記第３側縁の延在方向に繰り返す第２模様が前記第２領域に付されている、請求項１に記載の手拭き。
【請求項３】
前記第１領域は、前記第３側縁から前記第４側縁に向かう方向において等しい寸法を有するように４つの仮想の領域に分割した場合に最も前記第３側縁側の領域内に位置し、
前記第２領域は、前記第３側縁から前記第４側縁に向かう方向において等しい寸法を有するように４つの仮想の領域に分割した場合に最も前記第３側縁側の領域から２番目の領域内に位置する、請求項２に記載の手拭き。
【請求項４】
前記一方の面に位置し、第３模様が付された第３領域を更に有し、
前記第３領域は、前記手拭きを前記第３側縁から前記第４側縁に向かって巻くことによって、前記第１領域及び前記第２領域を巻き込むことができるように構成されている、請求項３に記載の手拭き。
【請求項５】
前記第３領域は、前記第１側縁から前記第２側縁に向かう方向において等しい寸法を有するように２つの仮想の領域に分割した場合における前記１側縁側の領域内に位置し、且つ前記第３側縁から前記第４側縁に向かう方向において等しい寸法を有するように２つの仮想の領域に分割した場合における前記第４側縁側の領域内に位置し、
前記一方の面に位置し、第４模様が付された第４領域を更に有し、
前記第４領域は、前記第１側縁から前記第２側縁に向かう方向において等しい寸法を有するように２つの仮想の領域に分割した場合における前記２側縁側の領域内に位置し、且つ前記第３側縁から前記第４側縁に向かう方向において等しい寸法を有するように２つの仮想の領域に分割した場合における前記第４側縁側の領域内に位置し、前記第３側縁から前記第４側縁に向かって巻くことによって、前記第１領域及び前記第２領域を巻き込むことができるように構成されている、請求項４に記載の手拭き。
【考案の詳細な説明】
【技術分野】
【０００１】
本考案は、手拭きに関し、特に模様が付された手拭きに関する。
【背景技術】
【０００２】
従来から、折り畳むことによって所定の形態を模すように構成された模様を有するタオルが知られている（例えば特許文献１参照）。
【０００３】
このタオルは、異なる色から構成された複数の帯状部を有し、帯状部と交わる方向に巻かれることによって太巻きなどに見えるように構成されている。
【先行技術文献】
【特許文献】
【０００４】
【特許文献１】登録実用新案第３１８５２２１号公報
【考案の概要】
【考案が解決しようとする課題】
【０００５】
しかし、特許文献１に記載のタオルは、異なる色から構成された複数の帯状部によって表面の模様が構成されているため、表面に施された模様がシンプルであり、展開時における表面の模様の変化に乏しく面白みに欠けるという問題があった。
【課題を解決するための手段】
【０００６】
上記課題を解決するため、本考案のある態様に係る手拭きは、第１側縁と、前記第１側縁と平行に延在する第２側縁と、前記第１側縁及び前記第２側縁と交差する方向に延在する第３側縁と、前記第３側縁と平行に延在する第４側縁とを有し、シート状に形成された手拭きであって、一方の面に位置し、前記第３側縁の延在方向に前記１側縁から前記第２側縁に亘って帯状に延在するように区画された第１領域を有し、第１単位模様が前記第３側縁の延在方向に繰り返す第１模様が前記第１領域に付されている。
【０００７】
この構成によれば、展開時には繰り返し模様である第１模様が使用者に面白みを与え、更に、第１模様を露出させるように手拭きを折り畳み、更に第１模様が外側に位置するように巻くことによって、立体的な装飾物を形成することができる。これによって、使用者を楽しませることができる。
【０００８】
そして、繰り返し模様である第１模様が施されているので、この立体的な装飾物を何れの方向から見ても一様に見える装飾物に模すことができる。
【０００９】
前記一方の面に位置し、前記第３側縁の延在方向に前記第１側縁から前記第２側縁に亘って帯状に延在するように区画された第２領域を有し、第２単位模様が前記第３側縁の延在方向に繰り返す第２模様が前記第２領域に付されていてもよい。
【００１０】
この構成によれば、展開時には繰り返し模様である第１模様及び第２模様が使用者に面白みを与え、更に、使用者は、複数の種類の立体的な装飾物を楽しむことができる。
【００１１】
前記第１領域は、前記第３側縁から前記第４側縁に向かう方向において等しい寸法を有するように４つの仮想の領域に分割した場合に最も前記第３側縁側の領域内に位置し、前記第２領域は、前記第３側縁から前記第４側縁に向かう方向において等しい寸法を有するように４つの仮想の領域に分割した場合に最も前記第３側縁側の領域から２番目の領域内に位置していてもよい。
【００１２】
この構成によれば、使用者は、手拭きを巻き四つ折りにした上で、これを巻くことによって立体的な装飾物とすることができる。
【００１３】
前記一方の面に位置し、第３模様が付された第３領域を更に有し、前記第３領域は、前記手拭きを前記第３側縁から前記第４側縁に向かって巻くことによって、前記第１領域及び前記第２領域を巻き込むことができるように構成されていてもよい。
【００１４】
この構成によれば、展開時には繰り返し模様である第１模様、第２模様、及び第３模様が使用者に面白みを与え、更に、使用者は、手拭きを用いて更に多くの種類の立体的な装飾物を楽しむことができる。
【００１５】
前記第３領域は、前記第１側縁から前記第２側縁に向かう方向において等しい寸法を有するように２つの仮想の領域に分割した場合における前記１側縁側の領域内に位置し、且つ前記第３側縁から前記第４側縁に向かう方向において等しい寸法を有するように２つの仮想の領域に分割した場合における前記第４側縁側の領域内に位置し、前記一方の面に位置し、第４模様が付された第４領域を更に有し、前記第４領域は、前記第１側縁から前記第２側縁に向かう方向において等しい寸法を有するように２つの仮想の領域に分割した場合における前記２側縁側の領域内に位置し、且つ前記第３側縁から前記第４側縁に向かう方向において等しい寸法を有するように２つの仮想の領域に分割した場合における前記第４側縁側の領域内に位置し、前記第３側縁から前記第４側縁に向かって巻くことによって、前記第１領域及び前記第２領域を巻き込むことができるように構成されていてもよい。
【００１６】
この構成によれば、展開時には繰り返し模様である第１模様、第２模様、第３模様、及び第４模様が使用者に面白みを与え、更に、使用者は、手拭きを用いて更に多くの種類の立体的な装飾物を楽しむことができる。
【考案の効果】
【００１７】
本考案は、使用者を楽しませることができるという効果を奏する。
【図面の簡単な説明】
【００１８】
【図１】本考案の実施の形態に係る手拭きの構成例を示す平面図である。
【図２】図１の手拭きの第１の使用例を示す斜視図である。
【図３】図１の手拭きの第２の使用例を示す斜視図である。
【図４】図１の手拭きの第３の使用例を示す斜視図である。
【図５】図１の手拭きの第４の使用例を示す斜視図である。
【考案を実施するための形態】
【００１９】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２０】
（実施の形態）
図１は、本考案の実施の形態に係る手拭き１００の構成例を示す平面図である。
【００２１】
図１に示すように、手拭き１００は、シート状に形成されている。本実施の形態において例示する形態において、手拭き１００は、平面視において大略３０ｃｍ四方の大略正方形に形成されたハンドタオルであるが、これに限定されるものではない。また、手拭き１００は、タオル地で構成されているが、これに限定されるものではなく、これに代えて、例えば、不織布、ガーゼ、又はＰＶＡ材質の布で構成されていてもよい。そして、手拭き１００は、第１模様３１、第２模様３２、第３模様３３、及び第４模様３４（詳細は後述）を含む。これら第１〜第４の模様は、プリントによって施されているがこれに限定されるものではなく、例えば刺繍によって施されていてもよい。そして、手拭き１００の４辺は、縁がかり処理が施されており、第１側縁１１、第２側縁１２、第３側縁１３、及び第４側縁１４を構成する。
【００２２】
すなわち、第１側縁１１は直線状に延在している。第２側縁１２は、第１側縁１１と平行に延在する。第３側縁１３は、第１側縁１１及び第２側縁１２と交差する方向（例えば直交する方向）に延在する。第４側縁１４は、第３側縁１３と平行に延在し、第１側縁１１及び第２側縁１２と交差する方向（例えば直交する方向）に延在する。
【００２３】
そして、手拭き１００は、一方の面（以下、表面１という。）に第１領域２１、第２領域２２、第３領域２３、及び第４領域２４を有する。
【００２４】
第１領域２１は、第３側縁１３の延在方向に第１側縁１１から１２に亘って帯状に延在するように区画された領域である。そして、第１領域２１は、第１模様３１が付されている。第１模様３１は、第１単位模様３１ａが第３側縁１３の延在方向に繰り返す模様である。
【００２５】
本実施の形態において例示する形態において、第１領域２１は、第３側縁１３から第４側縁１４に向かう方向において等しい寸法を有するように４つの仮想の領域に分割した場合に最も第３側縁１３側の領域内に位置するように構成されている。
【００２６】
第２領域２２は、第３側縁１３の延在方向に第１側縁１１から１２に亘って帯状に延在するように区画された領域である。そして、第２領域２２は、第２模様３２が付されている。第２模様３２は、第２単位模様３２ａが第３側縁１３の延在方向に繰り返す模様である。
【００２７】
本実施の形態において例示する形態において、第２領域２２は、第３側縁１３から第４側縁１４に向かう方向において等しい寸法を有するように４つの仮想の領域に分割した場合に最も第３側縁１３側の領域から２番目の領域内に位置するように構成されている。
【００２８】
第３領域２３は、手拭き１００を第３側縁１３から第４側縁１４に向かって巻くことによって第１領域２１及び第２領域２２を巻き込むことができるように構成されている。そして、第３領域２３は、第３模様３３が付されている。
【００２９】
本実施の形態において例示する形態において、第３領域２３は、第１側縁１１から第２側縁１２に向かう方向において等しい寸法を有するように２つの仮想の領域に分割した場合における第１側縁１１側の領域内に位置し、且つ第３側縁１３から第４側縁１４に向かう方向において等しい寸法を有するように２つの仮想の領域に分割した場合における第４側縁１４側の領域内に位置する。
【００３０】
第４領域２４は、手拭き１００を第３側縁１３から第４側縁１４に向かって巻くことによって第１領域２１及び第２領域２２を巻き込むことができるように構成されている。そして、第４領域２４は、第４模様３４が付されている。
【００３１】
そして、手拭き１００の表面１に施された模様、すなわち第１模様３１、第２模様３２、第３模様３３、及び第４模様３４によって、使用者に面白みを与えることができる。
【００３２】
本実施の形態において例示する形態において、第４領域２４は、第１側縁１１から第２側縁１２に向かう方向において等しい寸法を有するように２つの仮想の領域に分割した場合における第２側縁１２側の領域内に位置し、且つ第３側縁１３から第４側縁１４に向かう方向において等しい寸法を有するように２つの仮想の領域に分割した場合における第４側縁１４側の領域内に位置する。
【００３３】
［使用例］
次に、図２〜図４を参照しながら、手拭き１００の使用例を説明する。
【００３４】
＜第１の使用例＞
図２は、手拭き１００の第１の使用例を示す斜視図である。
【００３５】
第１の使用例においては、まず、手拭き１００を第１領域２１が露出するように巻き四つ折りにする。すなわち、手拭き１００を表面１が外側に位置し、且つ第３側縁１３と第４側縁１４とが重なり合うように二つ折りにしたあと、第１領域２１が外側に位置し、且つ上述の通りに二つ折りにすることによって形成された折山と第３側縁１３及び第４側縁１４とが重なり合うように更にもう一度二つ折りにする。上述の通り、第１領域２１は、第１側縁１１から第２側縁１２に亘って帯状に延在する領域であるので、手拭き１００を帯状に折り畳むことによって、折り畳んだ手拭き１００の何れか一方の面に第１領域２１を位置させ、その面に付された第１模様３１を露出させることができる。特に、本実施の形態において、第１領域２１は、第３側縁１３から第４側縁１４に向かう方向において等しい寸法を有するように４つの仮想の領域に分割した場合に最も第３側縁１３側の領域内に位置するように構成されているため、手拭き１００を巻き四つ折りに折り畳むことによって、折り畳んだ手拭き１００の何れか一方の面に第１領域２１を位置させ、その面に付された第１模様３１を露出させることができる。
【００３６】
次に、第１模様３１が外側に位置するように第１側縁１１又は第２側縁１２の何れか一方から他方に向かって巻く。これによって、図２に示すように、手拭き１００を円柱状に形成することができる。そして、第１模様３１は繰り返し模様であるので、手拭き１００を何れの方向から見ても一様に見える装飾物に模した立体的な第１の装飾物５１とすることができる。第１模様３１は、第１の装飾物５１がカップケーキ等の菓子に模したものとなる模様が例示されるがこれに限定されるものではない。
【００３７】
＜第２の使用例＞
図３は、手拭き１００の第２の使用例を示す斜視図である。
【００３８】
第２の使用例においては、まず、手拭き１００を第２領域２２が露出するように巻き四つ折りにする。すなわち、手拭き１００を表面１が外側に位置し、且つ第３側縁１３と第４側縁１４とが重なり合うように二つ折りにしたあと、第２領域２２が外側に位置し、且つ上述の通りに二つ折りにすることによって形成された折山と第３側縁１３及び第４側縁１４とが重なり合うように更にもう一度二つ折りにする。上述の通り、第２領域２２は、第１側縁１１から第２側縁１２に亘って帯状に延在する領域であるので、手拭き１００を帯状に折り畳むことによって、折り畳んだ手拭き１００の何れか一方の面に第２領域２２を位置させ、その面に付された第２模様３２を露出させることができる。特に、本実施の形態において、第２領域２２は、第３側縁１３から第４側縁１４に向かう方向において等しい寸法を有するように４つの仮想の領域に分割した場合に最も第３側縁１３側の領域から２番目の領域内に位置するように構成されているため、手拭き１００を巻き四つ折りに折り畳むことによって、折り畳んだ手拭き１００の何れか一方の面に第２領域２２を位置させ、その面に付された第２模様３２を露出させることができる。
【００３９】
次に、第２模様３２が外側に位置するように第１側縁１１又は第２側縁１２の何れか一方から他方に向かって巻く。これによって、図３に示すように、手拭き１００を円柱状に形成することができる。そして、第２模様３２は繰り返し模様であるので、手拭き１００を何れの方向から見ても一様に見える装飾物に模した立体的な第２の装飾物５２とすることができる。第２模様３２は、第２の装飾物５２がカップケーキ等の菓子に模したものとなる模様が例示されるがこれに限定されるものではない。
【００４０】
なお、第２模様３２は、第１模様３１と異なる模様とすることが好ましい。これによって、手拭き１００の畳み方を変更することによって、使用者は、複数の種類の立体的な装飾物を楽しむことができる。
【００４１】
＜第３の使用例＞
図４は、手拭き１００の第３の使用例を示す斜視図である。
【００４２】
第３の使用例においては、まず、手拭き１００を第３領域２３が露出するように二つ折りにする。すなわち、手拭き１００を表面１が外側に位置し、且つ第１側縁１１と第２側縁１２とが重なり合うように二つ折りにする。上述の通り、第３領域２３は、第１側縁１１から第２側縁１２に向かう方向において等しい寸法を有するように２つの仮想の領域に分割した場合における第１側縁１１側の領域内に位置し、且つ第３側縁１３から第４側縁１４に向かう方向において等しい寸法を有するように２つの仮想の領域に分割した場合における第４側縁１４側の領域内に位置するように構成されているため、手拭き１００を二つ折りにすることによって、第３模様３３を露出させることができる。
【００４３】
次に、第３模様３３が外側に位置するように第３側縁１３から第４側縁１４に向かって巻いて、第１領域２１及び第２領域２２を巻き込む。これによって、図４に示すように、手拭き１００を円柱状に形成することができる。そして、第１領域２１及び第２領域２２を巻き込むように巻いているので、第１模様３１及び第２模様３２を隠蔽することができる。このようにして、手拭き１００を所定の装飾物に模した立体的な第３の装飾物５３とすることができる。第３模様３３は、第３の装飾物５３がロールケーキに模したものとなる模様が例示されるがこれに限定されるものではない。
【００４４】
＜第４の使用例＞
図５は、手拭き１００の第４の使用例を示す斜視図である。
【００４５】
第４の使用例においては、まず、手拭き１００を第４領域２４が露出するように二つ折りにする。すなわち、手拭き１００を表面１が外側に位置し、且つ第１側縁１１と第２側縁１２とが重なり合うように二つ折りにする。上述の通り、第４領域２４は、第１側縁１１から第２側縁１２に向かう方向において等しい寸法を有するように２つの仮想の領域に分割した場合における第２側縁１２側の領域内に位置し、且つ第３側縁１３から第４側縁１４に向かう方向において等しい寸法を有するように２つの仮想の領域に分割した場合における第４側縁１４側の領域内に位置するように構成されているため、手拭き１００を二つ折りにすることによって、第４模様３４を露出させることができる。
【００４６】
次に、第４模様３４が外側に位置するように第３側縁１３から第４側縁１４に向かって巻いて、第１領域２１及び第２領域２２を巻き込む。これによって、図４に示すように、手拭き１００を円柱状に形成することができる。そして、第１領域２１及び第２領域２２を巻き込むように巻いているので、第１模様３１及び第２模様３２を隠蔽することができる。このようにして、手拭き１００を所定の装飾物に模した立体的な第４の装飾物５４とすることができる。第４模様３４は、第３の装飾物５３がロールケーキに模したものとなる模様が例示されるがこれに限定されるものではない。
【００４７】
なお、第４模様３４は、第３模様３３と異なる模様とすることが好ましい。これによって、手拭き１００の畳み方を変えることによって、使用者は、複数の種類の立体的な装飾物を楽しむことができる。
【００４８】
このように、本実施の形態において、手拭き１００は、その巻き方を変更することによって、手拭き１００を第１の装飾物５１、第２の装飾物５２、第３の装飾物５３、及び第４の装飾物５４にすることができる。したがって、使用者は、複数の種類の立体的な装飾物を楽しむことができる。
【００４９】
以上に説明したように、本考案の手拭き１００は、表面１に施された第１模様３１、第２模様３２、第３模様３３、及び第４模様３４によって、使用者に面白みを与えることができる。そして、第１模様３１を露出させるように手拭き１００を折り畳み、更に第１模様３１が外側に位置するように巻くことによって、立体的な第１の装飾物５１を形成することができる。これによって、使用者を楽しませることができる。
【００５０】
そして、第１模様は繰り返し模様であるので、第１の装飾物５１を何れの方向から見ても一様に見える装飾物に模すことができる。
【００５１】
＜変形例＞
上記実施の形態においては、手拭き１００は、第１領域２１、第２領域２２、第３領域２３、及び第４領域２４に区画されていたがこれに限られるものではない。これに代えて、例えば第１領域２１のみが区画されていてもよい。
【００５２】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５３】
本件考案は、布製品に適用することができる。
【符号の説明】
【００５４】
１  表面
１１  第１側縁
１２  第２側縁
１３  第３側縁
１４  第４側縁
２１  第１領域
２２  第２領域
２３  第３領域
２４  第４領域
３１  第１模様
３１ａ  第１単位模様
３２  第２模様
３２ａ  第２単位模様
３３  第３模様
３４  第４模様
５１  第１の装飾物
５２  第２の装飾物
５３  第３の装飾物
５４  第４の装飾物
１００  手拭き
【図１】
0003189693.tif 000003
【図２】
0003189693.tif 000004
【図３】
0003189693.tif 000005
【図４】
0003189693.tif 000006
【図５】
0003189693.tif 000007